(57)【要約】【課題】容易に着脱可能であり、外観の良好なラッチ構造及びコネクタ付きケーブルを提供する。【解決手段】コネクタ本体２の上面にラッチカバー７を揺動自在に設け、ラッチカバー７の先端部にケージ３１の係合孔３２に係合する係止爪８を形成すると共に、係止爪８が係合孔３２に係合するようラッチカバー７を常時付勢するバネ部材２１を設けてなり、ラッチカバー７を１枚の板材で形成すると共に、コネクタ本体２の上面を覆うカバー本体９の両側に揺動部材１０を形成し、コネクタ本体２の両側面に、揺動部材１０を揺動自在に係合する揺動溝１３を形成し、揺動溝１３に揺動部材１０を嵌め込んでラッチカバー７をコネクタ本体２に揺動自在に設けたものである。【選択図】図１
2010177132.tif 000002
【特許請求の範囲】
【請求項１】
略直方体状のコネクタ本体の先端面にケージに挿入される挿入部を形成したコネクタを、前記ケージに着脱自在に保持するラッチ構造において、
前記コネクタ本体の上面にラッチカバーを揺動自在に設け、該ラッチカバーの先端部に前記ケージの係合孔に係合する係止爪を形成すると共に、該係止爪が前記係合孔に係合するよう前記ラッチカバーを常時付勢するバネ部材を設けてなり、
さらに、前記ラッチカバーを１枚の板材で形成すると共に、前記コネクタ本体の上面を覆うカバー本体の両側に、前記板材を下方に折り曲げて形成された揺動部材を形成し、他方、前記コネクタ本体の両側面に、前記揺動部材を揺動自在に係合する揺動溝を形成し、該揺動溝に前記揺動部材を嵌め込んで前記ラッチカバーを前記コネクタ本体に揺動自在に設けたことを特徴とするラッチ構造。
【請求項２】
前記コネクタ本体の上面を、前記コネクタ本体の後端部に向かって高さが低くなるように斜めに傾斜して形成すると共に、前記コネクタ本体の上面の先端部に、前記カバー本体が水平となる位置で前記ラッチカバーの揺動を規制する揺動規制部を形成した請求項１記載のラッチ構造。
【請求項３】
前記バネ部材が、前記カバー本体に一体に形成され、前記揺動部材よりも後方の前記カバー本体を上方に付勢する板バネからなる請求項１または２記載のラッチ構造。
【請求項４】
前記揺動部材を、前記ラッチカバーの揺動軸となる円板軸と、該円板軸とラッチ本体とを繋ぐ支持脚とで形成すると共に、前記揺動溝を、前記円板軸を回転自在に収容する軸溝と、前記支持脚を回動自在に収容する回動用溝とで形成し、前記円板軸を前記軸溝に、前記支持脚を前記回動用溝に収容して、前記ラッチカバーを前記コネクタ本体に揺動自在に設ける請求項１〜３いずれかに記載のラッチ構造。
【請求項５】
前記円板軸を、前記支持脚の中心軸に対して後方に偏心するように形成すると共に、前記軸溝を前記回動用溝に対して後方に偏心するように形成し、かつ、前記回動用溝を前記円板軸を上方から挿入可能な幅に形成し、前記円板軸を前記回動用溝を通して前記軸溝に収容するようにした請求項４記載のラッチ構造。
【請求項６】
前記ラッチカバーの円板軸を前記軸溝内に保持するためのストッパ機構を備えた請求項５記載のラッチ構造。
【請求項７】
前記ストッパ機構は、前記コネクタ本体の上面に形成されたストッパ溝と、前記カバー本体と一体に形成され、前記ストッパ溝に係合して前記ラッチカバーを後方に係止し、かつ、前記揺動部材よりも後方の前記カバー本体を上方に付勢する板バネとからなる請求項６記載のラッチ構造。
【請求項８】
請求項１〜７いずれかに記載のラッチ構造を備えたコネクタと、そのコネクタに接続されたケーブルとからなることを特徴とするコネクタ付きケーブル。
【発明の詳細な説明】
【技術分野】
【０００１】
本発明は、コネクタをケージに着脱自在に保持するラッチ構造及びコネクタ付きケーブルに関するものである。
【背景技術】
【０００２】
近年、通信の高速化に伴い、インフィニバンド（InfiniBand）やＰＣＩエクスプレス（PCI Express）といった次世代のＩ／Ｏインターフェイス（Ｉ／Ｏアーキテクチャ）が実用化されている。これらインフィニバンドやＰＣＩエクスプレスでは、複数のチャネルを束ねて利用することで、高速な帯域を実現している。
【０００３】
このようなインフィニバンドやＰＣＩエクスプレスに用いるコネクタは、ＭＳＡ（Multi Source Agreement）と呼ばれる標準規格により、接続種別やチャネル数に応じて形状や寸法が規定されている。
【０００４】
一例として、ＰＣＩエクスプレスに用いるコネクタ付きケーブルを図１２に示す。
【０００５】
図１２（ａ）、（ｂ）に示すように、コネクタ付きケーブル１２０は、略直方形状のコネクタ本体１２３とコネクタ本体１２３の先端面に形成された挿入部１２４とからなるコネクタ１２１と、コネクタ１２１に接続されたケーブル（メタルケーブル）１２２とからなる。
【０００６】
コネクタ付きケーブル１２０は、コネクタ１２１の挿入部１２４を、サーバなどの通信機器側のブレード（ラインカード）に固定されたケージ（図示せず）に挿入することで、ケージ、ブレードを介して通信機器と電気的に接続される。コネクタ１２１のコネクタ本体１２３には、コネクタ１２１をケージに着脱自在に保持するラッチ構造１２５が設けられている。
【０００７】
従来のラッチ構造１２５は、コネクタ本体１２３の上面に形成されたスライド溝１３０にラッチ解除部材１２６をスライド自在に収容し、その上方を覆うようにカバー１２７を設けて構成される。
【０００８】
カバー１２７の先端部（図示右側）には、ケージの上面に形成された係合孔に上方から係合する係止爪１２８が形成され、その後端部（図示左側）がコネクタ本体１２３の上面に固定されている。
【０００９】
ラッチ解除部材１２６の先端部（図示右側）には、コネクタ本体１２６側（図示下側）に凸となる側面視で略円弧状の凸部１３１が形成され、その凸部１３１がスライド溝１３０に形成された側面視で略円弧状の凸部収容溝１３２に収容される。また、ラッチ解除部材１２６の後端部（図示左側）にはレバー部１２９が形成される。レバー部１２９は、コネクタ本体１２３の後方（図示左側）に突出するように設けられる。
【００１０】
従来のラッチ構造１２５では、ラッチ解除部材１２６のレバー部１２９を後方に引くことで、凸部１３１が凸部収容溝１３２に沿って上方に持ち上げられ、それに伴い、カバー１２７の先端部が上方に持ち上げられ、係止爪１２８が上方に引き上げられる。このように、従来のラッチ構造１２５では、ラッチ解除部材１２６のレバー部１２９を後方に引くことで、係止爪１２８を上方に引き上げて、コネクタ１２１をケージから着脱するようにしている。
【００１１】
なお、この出願の発明に関連する先行技術文献情報としては、次のものがある。
【先行技術文献】
【特許文献】
【００１２】
【特許文献１】特開２００４−３４３５０６号公報
【特許文献２】特開２００４−３１１２０７号公報
【特許文献３】米国特許第６６６６４８４号明細書
【特許文献４】米国特許出願公開第２００３／００４９０００号明細書
【発明の概要】
【発明が解決しようとする課題】
【００１３】
しかしながら、従来のラッチ構造１２５では、ラッチ解除部材１２６のレバー部１２９がコネクタ本体１２３の後方に突出して設けられるため、このレバー部１２９が外観上煩雑であるという問題がある。特に、複数のコネクタ付きケーブル１２０をブレード等に接続した際に、各コネクタ付きケーブル１２０のレバー部１２９がブレード前面から突出することとなり、外観上非常に煩雑となってしまう。
【００１４】
さらに、従来のラッチ構造１２５では、レバー部１２９を引きながらコネクタ１２１を着脱しなければならないので、コネクタ１２１を着脱しにくいという問題もある。
【００１５】
そこで、本発明の目的は、上記課題を解決し、容易に着脱可能であり、外観の良好なラッチ構造及びコネクタ付きケーブルを提供することにある。
【課題を解決するための手段】
【００１６】
本発明は上記目的を達成するために創案されたものであり、略直方体状のコネクタ本体の先端面にケージに挿入される挿入部を形成したコネクタを、前記ケージに着脱自在に保持するラッチ構造において、前記コネクタ本体の上面にラッチカバーを揺動自在に設け、該ラッチカバーの先端部に前記ケージの係合孔に係合する係止爪を形成すると共に、該係止爪が前記係合孔に係合するよう前記ラッチカバーを常時付勢するバネ部材を設けてなり、さらに、前記ラッチカバーを１枚の板材で形成すると共に、前記コネクタ本体の上面を覆うカバー本体の両側に、前記板材を下方に折り曲げて形成された揺動部材を形成し、他方、前記コネクタ本体の両側面に、前記揺動部材を揺動自在に係合する揺動溝を形成し、該揺動溝に前記揺動部材を嵌め込んで前記ラッチカバーを前記コネクタ本体に揺動自在に設けたラッチ構造である。
【００１７】
前記コネクタ本体の上面を、前記コネクタ本体の後端部に向かって高さが低くなるように斜めに傾斜して形成すると共に、前記コネクタ本体の上面の先端部に、前記カバー本体が水平となる位置で前記ラッチカバーの揺動を規制する揺動規制部を形成してもよい。
【００１８】
前記バネ部材が、前記カバー本体に一体に形成され、前記揺動部材よりも後方の前記カバー本体を上方に付勢する板バネからなってもよい。
【００１９】
前記揺動部材を、前記ラッチカバーの揺動軸となる円板軸と、該円板軸とラッチ本体とを繋ぐ支持脚とで形成すると共に、前記揺動溝を、前記円板軸を回転自在に収容する軸溝と、前記支持脚を回動自在に収容する回動用溝とで形成し、前記円板軸を前記軸溝に、前記支持脚を前記回動用溝に収容して、前記ラッチカバーを前記コネクタ本体に揺動自在に設けてもよい。
【００２０】
前記円板軸を、前記支持脚の中心軸に対して後方に偏心するように形成すると共に、前記軸溝を前記回動用溝に対して後方に偏心するように形成し、かつ、前記回動用溝を前記円板軸を上方から挿入可能な幅に形成し、前記円板軸を前記回動用溝を通して前記軸溝に収容するようにしてもよい。
【００２１】
前記ラッチカバーの円板軸を前記軸溝内に保持するためのストッパ機構を備えてもよい。
【００２２】
前記ストッパ機構は、前記コネクタ本体の上面に形成されたストッパ溝と、前記カバー本体と一体に形成され、前記ストッパ溝に係合して前記ラッチカバーを後方に係止し、かつ、前記揺動部材よりも後方の前記カバー本体を上方に付勢する板バネとからなってもよい。
【００２３】
また、本発明は、上記ラッチ構造を備えたコネクタと、そのコネクタに接続されたケーブルとからなるコネクタ付きケーブルである。
【発明の効果】
【００２４】
本発明によれば、容易に着脱可能であり、外観の良好なラッチ構造及びコネクタ付きケーブルを提供できる。
【図面の簡単な説明】
【００２５】
【図１】図１（ａ）、（ｂ）は、本発明の一実施形態に係るラッチ構造を備えたコネクタ付きケーブルの斜視図である。
【図２】図２（ａ）は、図１のコネクタ付きケーブルの分解斜視図であり、図２（ｂ）はその分解側面図である。
【図３】図３（ａ）、（ｂ）は、図１のコネクタ付きケーブルをケージに着脱したときの斜視図である。
【図４】図４（ａ）、（ｂ）は、図１のコネクタ付きケーブルをケージに着脱したときの側面図である。
【図５】図５（ａ）、（ｂ）は、図１のコネクタ付きケーブルの要部拡大側面図である。
【図６】本発明の一実施形態に係るラッチ構造を備えたコネクタ付きケーブルの斜視図である。
【図７】図７（ａ）は、本発明の一実施形態に係るラッチ構造を備えたコネクタ付きケーブルの分解斜視図であり、図７（ｂ）はその斜視図である。
【図８】図８（ａ）は、本発明の一実施形態に係るラッチ構造を備えたコネクタ付きケーブルの斜視図であり、図８（ｂ）はその分解斜視図である。
【図９】図９（ａ）は、本発明の一変形例に係るラッチ構造に用いるラッチカバーの斜視図であり、図９（ｂ）は本発明の一変形例に係るラッチ構造を備えたコネクタ付きケーブルの分解縦断面図である。
【図１０】本発明の一実施形態に係るラッチ構造を備えたコネクタ付きケーブルの側面図である。
【図１１】図１１（ａ）、（ｂ）は、図１０のコネクタ付きケーブルの要部拡大側面図である。
【図１２】図１２（ａ）は、従来のコネクタ付きケーブルの斜視図であり、図１２（ｂ）はその縦断面図である。
【発明を実施するための形態】
【００２６】
以下、本発明の好適な実施の形態を添付図面にしたがって説明する。
【００２７】
図１（ａ）、（ｂ）は、本実施形態に係るコネクタ付きケーブルの斜視図であり、図２（ａ）はその分解斜視図、図２（ｂ）はその分解側面図である。
【００２８】
図１（ａ）、（ｂ）および図２（ａ）、（ｂ）に示すように、コネクタ付きケーブル１は、略直方体状のコネクタ本体２の先端面に挿入部３を形成したコネクタ４と、コネクタ４に接続されたケーブル５とからなる。
【００２９】
ここでは、コネクタ付きケーブル１が、１２チャネルのインフィニバンドに準拠したものである場合を説明する。コネクタ４内部には光送受信器が搭載され、光送受信器には、送受信あわせて１２×２本の光ファイバがケーブル５として接続される。コネクタ付きケーブル１はこれに限られず、例えば、ＰＣＩエクスプレスに準拠したものであってもよい。
【００３０】
このコネクタ付きケーブル１は、図３（ａ）、（ｂ）および図４（ａ）、（ｂ）に示すように、コネクタ４の挿入部３を、図示しないサーバなどの通信機器側のブレード（ラインカード）に固定されたケージ３１に挿入接続することで、ケージ３１、ブレードを介して通信機器と電気的に接続されるものである。ケージ３１上面の先端部には、係合孔３２が形成される。
【００３１】
図１〜４に示すように、コネクタ付きケーブル１のコネクタ４には、コネクタ４をケージ３１に着脱自在に保持する本発明のラッチ構造６が設けられる。
【００３２】
ラッチ構造６は、コネクタ本体２の上面にラッチカバー７を揺動自在に設け、そのラッチカバー７の先端部（図１（ａ）では右側）にケージ３１の係合孔３２に係合する係止爪８を形成すると共に、係止爪８が係合孔３２に係合するようラッチカバー７を常時付勢するバネ部材としての巻きバネ２１を設けて構成される。
【００３３】
ラッチカバー７は、カバー本体９と、カバー本体９の先端に形成された係止爪８と、カバー本体９の両側から下方に延びる揺動部材１０とからなる。揺動部材１０は、ラッチカバー７の長手方向（図１（ａ）では左右方向）中央部よりやや先端側（図１（ａ）では右側）に形成される。
【００３４】
これらカバー本体９、係止爪８、および揺動部材１０は、１枚の板材を加工して形成され、揺動部材１０は、その板材を下方に略９０°折り曲げて形成される。ラッチカバー７に用いる板材としては、例えば、ステンレスを用いるとよい。
【００３５】
揺動部材１０は、ラッチカバー７が揺動する際の軸となる円板状の円板軸１１と、円板軸１１とカバー本体９とを繋ぐ支持脚１２とからなり、全体として略逆Ω字状に形成される。
【００３６】
コネクタ本体２の両側面には、揺動部材１０を揺動自在に係合する揺動溝１３が形成される。揺動溝１３は、揺動部材１０の円板軸１１を回転自在に収容する軸溝１４と、揺動部材１０の支持脚１２を回動自在に収容する回動用溝１５とからなる。
【００３７】
また、コネクタ本体２の上面は、コネクタ本体２の後端部（図１（ａ）では左側）に向かって高さが低くなるように斜めに傾斜して形成され、コネクタ本体２の上面の先端部には、カバー本体２が水平となる位置でラッチカバー７の揺動を規制する揺動規制部１６が形成される。さらに、コネクタ本体２の回動用溝１５よりも後方の上面には、バネ部材としての巻きバネ（コイルバネ）２１が収容されるバネ部材収容孔２２が形成される。
【００３８】
ラッチカバー７は、揺動部材１０の円板軸１１を軸溝１４に、支持脚１２を回動用溝１５に収容することで、コネクタ本体２に揺動自在に設けられる。ラッチカバー７をコネクタ本体２に取り付ける際は、揺動部材１０の部分を拡げ、その状態で揺動部材１０を揺動溝１３に嵌め込むようにすればよい。
【００３９】
巻きバネ２１は、バネ部材収容孔２２に収容され、揺動部材１０よりも後方のカバー本体９を上方に常時付勢する。これにより、係止爪８は係合孔３２に係合するよう下方に常時付勢される。
【００４０】
ラッチ構造６では、図５（ａ）に示すように、ラッチカバー７のカバー本体９は、巻きバネ２１に常時上方に付勢されているため、揺動規制部１６に揺動を規制される位置、すなわち水平となる位置に常時位置する。
【００４１】
図５（ｂ）に示すように、ラッチカバー７のカバー本体９を上方から下方に押圧すると、円板軸１１を軸としてラッチカバー７が円板軸１１まわり（図５（ｂ）では反時計まわり）に揺動し、これに伴い係止爪８が上方に引き上げられる（図１（ｂ）および図４（ｂ）参照）。このように、ラッチ構造６では、カバー本体９を上方から下方に押圧して係止爪８を上方に引き上げることで、係止爪８と係合孔３２の係合を解除でき、コネクタ４をケージ３１に着脱することが可能となる。
【００４２】
本実施形態の作用を説明する。
【００４３】
本実施形態に係るラッチ構造６では、ラッチカバー７を１枚の板材で形成すると共に、コネクタ本体２の上面を覆うカバー本体９の両側に、板材を下方に折り曲げて形成された揺動部材１０を形成し、他方、コネクタ本体２の両側面に、揺動部材１０を揺動自在に係合する揺動溝１３を形成し、揺動溝１３に揺動部材１０を嵌め込んでラッチカバー７をコネクタ本体２に揺動自在に設けている。
【００４４】
図１２（ａ）、（ｂ）で説明した従来のラッチ構造１２０では、レバー部１２９を引きながらコネクタ１２１を着脱するため、両手で作業を行う必要があったが、本実施形態に係るラッチ構造６では、カバー本体９を上方から下方に押圧するのみでコネクタ４を着脱することが可能になるので、片手での作業が可能となり、コネクタ４を容易に着脱できる。
【００４５】
また、従来のラッチ構造１２０では、レバー部１２９を引っ張るためにレバー部１２９をコネクタ本体１２３の後方に突出させる必要があったが、ラッチ構造６では、カバー本体９を上方から押圧することで係合を解除するため、コネクタ本体２の後方にカバー本体９を突出させる必要がない。よって、従来のラッチ構造１２０のように外観が煩雑となることがなく、外観の良好なラッチ構造６及びコネクタ付きケーブル１を実現できる。
【００４６】
また、ラッチカバー７を１枚の板材で形成しているため部品点数を少なくでき、複雑な軸の保持機構等を形成することなく低コストでラッチ構造６を構成することが可能となる。
【００４７】
また、ラッチ構造６では、コネクタ本体２の上面を斜めに傾斜して形成し、かつ、カバー本体９が水平となる位置でラッチカバー７の揺動を規制するようにしているため、ラッチカバー７とコネクタ本体２全体で略直方体状とすることが可能となる。よって、ＭＳＡで規定されるコネクタ４の形状や寸法を満足できる。
【００４８】
本発明の他の実施の形態を説明する。
【００４９】
図６に示すコネクタ付きケーブル６０は、図１（ａ）のコネクタ付きケーブル１において、バネ部材として、カバー本体９に一体に形成され、揺動部材１０よりも後方のカバー本体９を上方に付勢する板バネ６１を用いた本発明のラッチ構造６２を備えたものである。
【００５０】
板バネ６１は、カバー部材９の中央部にコ字状の切り込みを入れ、該切り込みに囲まれた部分のカバー本体９を下方に折り曲げて形成され、カバー本体９の後方から前方に向かって下方に傾斜するように形成される。
【００５１】
ラッチカバー７に用いる板材としては、その一部がバネ部材（板バネ６１）として用いられるので、永久変形（塑性変形）しにくいものを用いるとよく、例えば、ステンレスのバネ材を用いるとよい。
【００５２】
ラッチ構造６２によれば、バネ部材である板バネ６１もラッチカバー７として一体に形成することができるため、部品点数をさらに少なくでき、低コストでラッチ構造６を構成することが可能となる。
【００５３】
図７（ａ）、（ｂ）に示すコネクタ付きケーブル７０は、図６のコネクタ付きケーブル６０において、板バネ６１を前方から後方に向かって下方に傾斜するように形成し、かつ、ラッチカバー７のカバー本体９の上面に、滑り止め付きプレート７２を設けた本発明のラッチ構造７１を備えたものである。
【００５４】
板バネ６１は、カバー本体９の中央部から後端部にかけて平行に２本の切り込みを入れ、該切り込みに囲まれた部分のカバー本体９を下方に折り曲げて形成され、カバー本体９の前方から後方に向かって下方に傾斜するように形成される。
【００５５】
ラッチ構造７１によれば、図６のコネクタ付きケーブル６０と同様に、板バネ６１をラッチカバー７として一体に形成することができるため、部品点数を少なくでき、さらに、滑り止め付きプレート７２を設けているため、コネクタ４の着脱時にカバー本体９を押圧しやすくなり、押圧時に手が滑ってしまうことを防止できる。
【００５６】
図８（ａ）、（ｂ）に示すコネクタ付きケーブル８０は、図６のコネクタ付きケーブル６０において、コネクタ本体２の上面に、板バネ６１を収容する板バネ収容溝８１を形成した本発明のラッチ構造８２を備えたものである。
【００５７】
板バネ収容溝８１を形成することにより、板バネ６１が左右に動くのを規制できるので、ラッチカバー７のがたつきを抑制でき、より安定したラッチ構造８２を実現できる。
【００５８】
上述のコネクタ付きケーブル１，６０，７０，８０では、ラッチカバー７の揺動部材１０を拡げて揺動溝１３に嵌め込むが、揺動部材１０を拡げた際にラッチカバー７が塑性変形してしまう場合も考えられる。その場合、図９（ａ）に示すように、カバー本体９の揺動部材１０の付け根にスリット９１を形成することで、ラッチカバー７の塑性変形を抑制するようにしてもよい。
【００５９】
また、それでも塑性変形が発生する場合は、図９（ｂ）に示すように、揺動溝１３全体を下方に向かって内側に傾斜するように形成し、ラッチカバー７を取り付けた後、揺動部材１０を内側に押し込むことにより、ラッチカバー７の変形を戻すようにしてもよい。
【００６０】
図１０に示すコネクタ付きケーブル１００は、図６のコネクタ付きケーブル６０において、円板軸１１を、支持脚１２の中心軸に対して後方（図１０では左側、コネクタ本体２の後端側）に偏心するように形成すると共に、軸溝１４を回動用溝１５に対して後方に偏心するように形成し、かつ、回動用溝１５を円板軸１１を上方から挿入可能な幅に形成し、円板軸１１を回動用溝１５を通して軸溝１４に収容するようにした本発明のラッチ構造１０１を備えたものである。
【００６１】
ラッチ構造１０１では、ラッチカバー７の円板軸１１を軸溝１４内に保持するためのストッパ機構１０２を備える。このストッパ機構１０２は、ラッチカバー７のがたつきを抑制すると共に、コネクタ本体２からラッチカバー７が抜けないようにするためのものである。
【００６２】
ストッパ機構１０２は、コネクタ本体２の上面に形成されたストッパ溝１０３と、カバー本体９と一体に形成され、ストッパ溝１０３に係合してラッチカバー９を後方に係止し、かつ、揺動部材１０よりも後方のカバー本体９を上方に付勢する板バネ１０４とからなる。板バネ１０４は、カバー本体９を上方に付勢するバネ部材と、ラッチカバー７がコネクタ本体２から抜けないように後方に係止するストッパとを兼ねている。
【００６３】
ラッチ構造１０１では、図１１（ａ）に示すように、ラッチカバー７のカバー本体９は、板バネ１０４に常時上方に付勢されているため、水平となる位置に常時位置する。また、板バネ１０４がラッチカバー７を常時後方に係止しているため、その円板軸１１が軸溝１４内に保持される。これにより、ラッチカバー７が回動用溝１５を通ってコネクタ本体２から抜けてしまうことがない。
【００６４】
図１１（ｂ）に示すように、ラッチカバー７のカバー本体９を上方から下方に押圧すると、円板軸１１を軸としてラッチカバー７が円板軸１１まわり（図１１（ｂ）では反時計まわり）に揺動し、これに伴い係止爪８が上方に引き上げられ、コネクタ４をケージ３１に着脱することが可能となる。
【００６５】
ラッチ構造１０１では、円板軸１１を回動用溝１５を通して軸溝１４に収容することで、ラッチカバー７をコネクタ本体２に取り付けている。そのため、ラッチカバー７をコネクタ本体２に取り付ける際に揺動部材１０を拡げる必要がなくなり、ラッチカバー７を塑性変形させることなく、容易にラッチカバー７をコネクタ本体２に取り付けることができる。
【００６６】
上記実施形態では、バネ部材としての巻きバネ２１あるいは板バネ６１，１０４を１つ設ける場合を説明したが、複数のバネ部材を設けるようにしてもよい。また、上記実施形態ではバネ部材をカバー本体９の中央部に設ける場合を説明したが、これに限られず、例えば、カバー本体９の両側端部に設けるようにしてもよい。この場合、板バネ６１，１０４に対応するように、板バネ収容溝８１あるいはストッパ溝１０３を形成するようにすればよい。
【００６７】
また、上記実施形態では、円板軸１１を円板状としたが、これに限定されず、例えば、半円状としてもよいし、多角形状としてもよい。
【００６８】
さらに、上記実施形態では、揺動規制部１６によりカバー本体２が水平となる位置でラッチカバー７の揺動を規制するように構成したが、これに限られず、揺動規制部１６を省略し、カバー本体９が水平となる位置で係合爪８がコネクタ４の挿入部３に当たるよう構成し、挿入部３でラッチカバー７の揺動を規制するようにしてもよい。
【００６９】
このように、本発明は上記実施形態には限定されず、当業者にとって想到し得る本明細書に説明された基本的教示の範囲に含まれる全ての変更、および代替的構成を具体化するものとして解釈されるべきである。
【符号の説明】
【００７０】
１  コネクタ付きケーブル
２  コネクタ本体
３  挿入部
４  コネクタ
５  ケーブル
６  ラッチ構造
７  ラッチカバー
８  係止爪
９  カバー本体
１０  揺動部材
１１  円板軸
１２  支持脚
１３  揺動溝
１４  軸溝
１５  回動用溝
【図１】
2010177132.tif 000003
【図２】
2010177132.tif 000004
【図３】
2010177132.tif 000005
【図４】
2010177132.tif 000006
【図５】
2010177132.tif 000007
【図６】
2010177132.tif 000008
【図７】
2010177132.tif 000009
【図８】
2010177132.tif 000010
【図９】
2010177132.tif 000011
【図１０】
2010177132.tif 000012
【図１１】
2010177132.tif 000013
【図１２】
2010177132.tif 000014